(57)【特許請求の範囲】
【請求項１】
被災して、ケーソンが滑落したケーソン式防波堤の捨石マウンド上に設置される基礎台であって、
上記基礎台は、潜水士による均し作業が省略された不陸の有る捨石マウンド上に設置され、その上面にケーソンが再設置されることを特徴とするケーソン式防波堤の復旧用ケーソン基礎台。
【請求項２】
上記基礎台は板状に形成され、その下面には、上記捨石マウンド食い込み用の突部が設けられていることを特徴とする請求項１記載のケーソン式防波堤の復旧用ケーソン基礎台。
【請求項３】
上記基礎台の下面に、貫通穴を設けたことを特徴する請求項１または２記載のケーソン式防波堤の復旧用ケーソン基礎台。
【請求項４】
上記基礎台に、ケーソン滑動防止部を設けたことを特徴とする請求項１、２または３のいずれかに記載のケーソン式防波堤の復旧用ケーソン基礎台。
【請求項５】
被災して、ケーソンが滑落したケーソン式防波堤において、潜水士による均し作業を省略した不陸の有る捨石マウンド上に基礎台を設置した後、
上記基礎台の上面にケーソンを再設置することを特徴とするケーソン式防波堤の復旧方法。
【発明の詳細な説明】
【技術分野】
【０００１】
本発明はケーソン式防波堤の復旧用ケーソン基礎台及び復旧方法、特に、被災したケーソン式防波堤を早期に復旧するために用いるケーソン基礎台及びケーソン式防波堤の復旧方法に関するものである。
【背景技術】
【０００２】
ケーソン式防波堤の一般的な構築方法は、海底に捨石を投入して捨石マウンドを構築し、この捨石マウンド上を潜水士が荒均し、本均しを行い、上記捨石マウンド上の不陸をなくしてから、上記捨石マウンド上に重力式のケーソンを設置し、そして、上記ケーソン内に中詰砂等を中詰めし、蓋コンクリートおよび上部コンクリートを打設して、ケーソン式防波堤を完成させる。
【０００３】
ケーソン式防波堤が被災して、ケーソンが捨石マウンドから滑落してしまった場合などに、この被災したケーソン式防波堤を復旧する時も、上記したケーソン式防波堤の構築方法と同様に、潜水士が捨石マウンド上を荒均し、本均しを行い、上記捨石マウンド上の不陸をなくしてから、上記捨石マウンド上に重力式のケーソンを設置し、そして、上記ケーソン内に中詰砂等を中詰めして、蓋コンクリートおよび上部コンクリートを打設して、ケーソン式防波堤を復旧させる。
【０００４】
この被災した防波堤の復旧は、被災後の低気圧や台風による高波浪に備え、港湾における荷役作業等を円滑に行うためにも、早期に行われる必要がある。
【発明の概要】
【発明が解決しようとする課題】
【０００５】
しかしながら、大規模な津波により、広範囲の防波堤が被災した場合には、捨石マウンド上の均し作業に従事する潜水士等の作業員の確保が難しくなる。
【０００６】
また、捨石マウンド上の均し作業は、静穏な日に行う必要があるが、外洋で静穏日の確保が難しい場合には、工期が長くなる原因となる。
【０００７】
また、工期が長くなれば、捨石マウンド上の均し作業を行った後ケーソン設置前に、高波浪の来襲を受ける場合があり、マウンド材の移動が生じて、再度、捨石マウンド上の均し作業を行わなければならない場合がある。
【０００８】
また、捨石マウンドの水深が深い場合には、潜水士による本均しの作業自体が難しくなる。
【０００９】
また、大規模な津波を伴うような地震の場合、広範囲の地盤の沈下が生じる場合がある。その地盤の沈下分を捨石を積み増すことによって補う場合には、新たな石材を必要とする。特に、捨石マウンドの設置水深が深い場合には、大量の石材が必要になる。しかしながら、広範囲の防波堤が被災した場合には、必要量の石材の確保自体が難しくなる可能性がある。
【００１０】
また、大規模な地震等による地盤の沈下は、防波堤位置の水深を増大させ、原形断面での復旧では、防波堤の天端高さが不足する可能性がある。また、防波堤前面の水位の増加は、来襲波浪を増大させ、防波堤への作用波力が増大する可能性がある。
【００１１】
本発明は、被災したケーソン式防波堤の早期復旧を目指すもので、捨石マウンドの均し作業を不要とし、捨石マウンド上にケーソンを早期に設置できるようにして、被災後の低気圧や台風による高波浪に備えることができるようにしたものである。
【課題を解決するための手段】
【００１２】
本発明のケーソン式防波堤の復旧用ケーソン基礎台は、被災して、ケーソンが滑落したケーソン式防波堤の捨石マウンド上に設置される基礎台であって、上記基礎台は、潜水士による均し作業が省略された不陸の有る捨石マウンド上に設置され、その上面にケーソンが再設置されることを特徴とする。
【００１３】
また、上記基礎台は板状に形成され、その下面には、上記捨石マウンド食い込み用の突部が設けられていることを特徴とする。
【００１４】
また、上記基礎台の下面に貫通穴を設けたことを特徴する。
【００１５】
また、上記基礎台に、ケーソン滑動防止部を設けたことを特徴とする。
【００１６】
また、ケーソン式防波堤の復旧方法は、被災して、ケーソンが滑落したケーソン式防波堤において、潜水士による均し作業を省略した不陸の有る捨石マウンド上に基礎台を設置した後、上記基礎台の上面にケーソンを再設置することを特徴とする。
【発明の効果】
【００１７】
本発明によれば、復旧用ケーソン基礎台を用いることにより、潜水士による捨石マウンド上の均し作業を省略して、捨石マウンド上にケーソンを設置でき、防波堤の早期の復旧を図ることができるようになる。
【図面の簡単な説明】
【００１８】
【図１】本発明のケーソン式防波堤の復旧用ケーソン基礎台の説明用斜視図である。
【図２】本発明のケーソン基礎台の斜視図である。
【図３】本発明のケーソン式防波堤の復旧方法の説明用フロー図である。
【図４】本発明のケーソン式防波堤の復旧方法の説明用斜視図である。
【図５】本発明のケーソン式防波堤の復旧方法の説明用縦断側面図である。
【図６】本発明のケーソン基礎台の他の実施例の斜視図である。
【図７】本発明のケーソン基礎台の更に他の実施例の斜視図である。
【発明を実施するための形態】
【００１９】
以下図面によって本発明の実施例を説明する。
【実施例１】
【００２０】
本発明の復旧用ケーソン基礎台の実施例１を図１及び図２により説明する。
【００２１】
図１及び図２において、１はケーソン基礎台を示し、この基礎台１は、被災したケーソン式防波堤の捨石マウンド２上に設置され、この基礎台１上にケーソン３が設置される。
【００２２】
なお、後述する被災したケーソン防波堤の復旧方法で説明するように、上記基礎台１は、上記被災した捨石マウンド２上を潜水士による均しを行うことなく設置される。
【００２３】
上記基礎台１は、矩形板状の板本体４と、この板本体４の下面に突出して設けた捨石マウンド食い込み用の突部５とよりなり、この突部５が上記捨石マウンド２に食い込むことにより、上記突部５と捨石マウンド２とがかみ合って、上記基礎台１が上記捨石マウンド２上を滑動しないようになる。
【００２４】
また、上記基礎台１の岸沖方向の長さは、例えば、設置されるケーソン３の岸沖方向の底辺の長さより長く、また、上記基礎台１の沿岸方向の長さは、設置されるケーソン３の沿岸方向の底辺の長さと同じとする。なお、上記基礎台１のサイズは、被災したケーソンの寸法にもよるが、一例として、縦横２０ｍ×２０ｍ、高さ２ｍである。
【００２５】
また、上記基礎台１は、捨石マウンド２の不陸による局所的な反発に対して十分な剛性を有する。
【００２６】
また、上記突部５は、例えば、上記板本体４の下面の四隅にそれぞれ設けられる。
【００２７】
次に、上記復旧用ケーソン基礎台１を用いた、被災したケーソン防波堤の復旧方法を図３に基づき説明する。
【００２８】
（１）捨石マウンド被災
【００２９】
津波等により、ケーソンが捨石マウンドから滑落した場合、この捨石マウンド上にケーソンを再設置するために、まず、音響探知機等で被災後の捨石マウンドの天端高さを測定し、不陸の程度を調査する。
【００３０】
（２）捨石マウンドの調整
【００３１】
不陸の範囲が、例えば、±１．０ｍ以上ある場合は、捨石投入や、グラブバケットにより不陸を調整する。この際、潜水士が荒均しする精度（±５０ｃｍ程度）までの精度を確保する必要はない。潜水士による均し作業を必要としない、捨石投入の管理基準程度（±１．０ｍ以内）の平坦性で、捨石マウンドの不陸を調整できればよい。
【００３２】
（３）基礎台設置
【００３３】
次に、図４に示すように、起重機船６等を用いて、陸上で製作した基礎台１を上記捨石マウンド２上に設置する。
（４）ケーソン設置
【００３４】
次に、上記基礎台１上に、ケーソン３を設置する。このケーソン３は、捨石マウンド２から滑落しているケーソンを再利用できる場合には、滑落しているケーソンを浮上させて、上記基礎台１上に設置する。
【００３５】
捨石マウンド２から滑落しているケーソンを再利用できない場合には、新たなケーソンを上記基礎台１上に設置する。この設置は、図４に示すように、曳船７などにより曳航設置してもよい。また、起重機船等で吊り上げて設置してもよい。
【００３６】
（５）中詰・蓋コンクリート
【００３７】
ケーソンの設置後、図５に示すように、上記ケーソン４内に中詰砂８等を中詰し、中詰完了後、蓋コンクリート９をする。
【００３８】
（６）上部工
【００３９】
復旧した防波堤を長期にわたって供用する場合など、仮復旧に求められる性能が、上部工を必要とするものであれば、上記蓋コンクリート９上に上部コンクリートを打設する。
【００４０】
（７）復旧の完成
【００４１】
以上より、復旧が完成する。そして、必要があれば、その後、施工条件があった時に、ケーソン式防波堤を完全に修復するようにする。
【００４２】
本発明によれば、基礎台を用いることにより、潜水士の捨石マウンド均し作業を省略し、早期にケーソン式防波堤を復旧できる。これにより、工期の短縮、安全性の向上を図ることができる。
【００４３】
また、十分な石材の確保が困難な場合であっても、基礎台により高さ調整が可能であるので、大量の捨石の確保が不要となる。これにより、防波堤に対する作用波力の増大を防ぐことができる。
【実施例２】
【００４４】
図６は、本発明の復旧用ケーソン基礎台の第２の実施例を示す。
【００４５】
この第２の実施例の復旧用ケーソン基礎台は第１実施例の基礎台１の板本体４の上面に、上記板本体４の縁部に沿った環状の壁部からなる滑動防止部１０を設ける。
【００４６】
上記滑動防止部１０の環状の壁部で囲まれた空間部分１１は、例えば、設置されるケーソンの下部形状に合致した形状で、上記空間部分１１にケーソンが設置されるようにする。
【００４７】
この第２の実施例によれば、上記ケーソン３は、上記滑動防止部１０により、上記基礎台１上の滑動が防止される。
【００４８】
なお、上記滑動防止部１０を環状の壁部にする代わりに、例えば、上記板本体４の上面の岸側の縁部にのみ壁部を設けるようにしてもよい。また、この壁部は壁状ではなく、突起状であってもよい。
【実施例３】
【００４９】
図７は、本発明の復旧用ケーソン基礎台の第３の実施例を示す。
【００５０】
この第３の実施例の復旧用ケーソン基礎台は第１実施例の基礎台１の板本体４に１又は複数の貫通穴１２を設ける。
【００５１】
この第３の実施例によれば、上記貫通穴１２により波作用時の揚圧力を低減させることができる。
【００５２】
なお、上記第２実施例の板本体４に貫通穴を設けるようにしてもよい。
【符号の説明】
【００５３】
１    基礎台
２    捨石マウンド
３    ケーソン
４    板本体
５    突部
６    起重機船
７    曳船
８    中詰砂
９    蓋コンクリート
１０  滑動防止部
１１  空間部分
１２  貫通穴
【図１】
0005804908.tif 000002
【図２】
0005804908.tif 000003
【図３】
0005804908.tif 000004
【図４】
0005804908.tif 000005
【図５】
0005804908.tif 000006
【図６】
0005804908.tif 000007
【図７】
0005804908.tif 000008